【手続補正書】
【提出日】平成28年3月22日(2016.3.22)
【手続補正１】
【補正対象書類名】特許請求の範囲
【補正対象項目名】全文
【補正方法】変更
【補正の内容】
【特許請求の範囲】
【請求項１】
着用者の頭部を保護する自転車ヘルメットであって、外殻と、
内面を画定する、前記外殻に結合されたエネルギー消散内層と、
前記ヘルメットの実質的に前側部分にて内面から内方にオフセットした前部装着場所と、
前記ヘルメットの実質的に後側部分にて内面から内方にオフセットした後部装着場所と、
前記着用者の前記頭部で前記ヘルメットを支持する、前記着用者の前記頭部との直接係合に向けて構成された内部通気システムと、を備え、前記内部通気システム、前記前部装着場所、及び前記後部装着場所は、協働して、前記着用者の前記頭部と前記内面との間の隙間を画定し、前記内部通気システムは、前部部分と、前記前部部分から離れて延在する複数の指部とを含み、前記複数の指部は、前記ヘルメットの側部分に概ね沿って延在する１対の外側指部と、前記ヘルメットの冠部に概ね沿って延在する少なくとも１つの内側指部とを含み、前記外側指部のうちの１つは、前記前部装着場所に結合され、前記少なくとも１つの内側指部の遠位端は、前記ヘルメットの冠部に配置された前記後部装着場所に結合される、自転車ヘルメット。
【請求項２】
前記内部通気システムは、前記前部装着場所に結合された部分と、前記後部装着場所に結合された遠位端と、を有する指部を含み、前記前部装着場所と前記後部装着場所との間の指部全体は、前記内面からオフセットしている、請求項１に記載の自転車ヘルメット。
【請求項３】
前記指部は、前記指部から側方にオフセットし、かつ前記隙間と連通した複数の指部通気開口を画定し、前記隙間は、前記指部から垂直にオフセットしている、請求項２に記載の自転車ヘルメット。
【請求項４】
前記内部通気システムは、前記前部装着場所と前記後部装着場所との間に延在し、かつ、前記前部装着場所と前記後部装着場所により支持され、前記内部通気システムは、前記前部装着場所及び前記後部装着場所だけ前記内面からオフセットしている、請求項１に記載の自転車ヘルメット。
【請求項５】
前記前部部分及び前記複数の指部のそれぞれは、前記内層の内面から、前記内面と前記着用者の頭部との間の通気隙間を画定するためにオフセットしている、請求項１に記載の自転車ヘルメット。
【請求項６】
前記隙間は、前記外側指部の少なくとも１つと前記内面との間に画定された額隙間と、前記少なくとも１つの内側指部と前記内面との間に画定された内側隙間と、を含む、請求項５に記載の自転車ヘルメット。
【請求項７】
それぞれの外側指部は、遠位端を含み、前記ヘルメットは、前記外側指部の前記遠位端を受け、かつ、前記遠位端を巻き入れて繰り出すように作動可能である前記ヘルメットの取り付けを調節する調節機構部を更に含む、請求項１に記載の自転車ヘルメット。
【請求項８】
前記前部装着場所及び前記後部装着場所は、前記内面から内方に延在し、かつ、前記エネルギー消散内層と一体に形成された突出部を含む、請求項１に記載の自転車ヘルメット。
【請求項９】
外殻と、
前記外殻に結合されたエネルギー消散内層であって、前記内層は、前記外殻に隣接する外面と、前記外面の反対側の内面と画定する、エネルギー消散内層と、
前記ヘルメットの実質的に第１の場所にて内面から内方にオフセットした第１の装着場所であって、前記第１の装着場所は、前部装着場所であり、かつ、ヘルメット前部部分の１つの側面上の第１の前部装着場所と、前記ヘルメット前部部分の第２の側面上の第２の前部装着場所とを含む、第１の装着場所と、
前記第１の場所の概ね反対側の前記ヘルメットの第２の場所にて内面から内方にオフセットした第２の装着場所と、
前記第１の装着場所及び前記第２の装着場所に結合される可撓性ウェブと、を備え、前記可撓性ウェブは、前記第１の装着場所と前記第２の装着場所との間に連続して延在する、前記内面と着用者の頭部との間の通気隙間を画定するために、前記第１の装着場所と前記第２の装着場所との間に延在し、かつ、前記内面から離間された少なくとも１つの部分を含み、前記可撓性ウェブの前記少なくとも１つの部分は、前記第２の装着場所内に挿入されるように動作可能な取付け突出部を備える、自転車ヘルメット。
【請求項１０】
可撓性ウェブ前部部分は、前記第１の前部装着場所と前記第２の前部装着場所との間に延在する、請求項９に記載の自転車ヘルメット。
【請求項１１】
前記少なくとも１つの指部は、前記可撓性ウェブ前部部分から延在する第１の端部と、前記ヘルメットの冠部に位置決めされた前記第２の装着場所に結合された第２の端部に配置された前記取付け突出部とを含む、請求項１０に記載の自転車ヘルメット。
【請求項１２】
前記可撓性ウェブ前部部分は、前記内面からオフセットしており、かつ、前記可撓性ウェブ前部部分と、前記内面と、前記第１の前部装着場所及び前記第２の前部装着場所との間に延在する額隙間を画定する、請求項１０に記載の自転車ヘルメット。
【請求項１３】
自転車ヘルメットであって、
外殻と、
前記外殻に結合されたエネルギー消散内層であって、前記内層は、内面を画定する、エネルギー消散内層と、
前記ヘルメットの実質的に前部場所にて前記内面から内方にオフセットした前部装着場所であって、前記前部装着場所は、ヘルメット前部部分の１つの側面上の第１の前部装着場所と、前記ヘルメット前部部分の第２の側面上の第２の前部装着場所とを含む、前部装着場所と、
前記前部場所の概ね反対側の前記ヘルメットの実質的に第２の場所にて前記内面から内方にオフセットした第２の装着場所と、
前記前部装着場所及び前記第２の装着場所に結合された可撓性ウェブと
を備え、
前記可撓性ウェブは、前記前部装着場所と前記第２の装着場所との間に延在する通気隙間を画定するために、前記前部装着場所と前記第２の装着場所との間に延在し、かつ、前記内面から離間された少なくとも１つの指部を含み、可撓性ウェブ前部部分は、第１の前部装着場所と前記第２の前部装着場所との間に延在し、前記可撓性ウェブは、前記ヘルメットの第１の側面に沿って前記第１の前部装着場所から概ね後方に延在する第１の外側指部と、前記ヘルメットの第２の側面に沿って前記第２の前部装着場所から概ね後方に延在する第２の外側指部とを含み、前記自転車ヘルメットは、前記第１の外側指部及び前記第２の外側指部を受け、かつ、前記ヘルメットの取り付けを調節するために前記第１の外側指部及び前記第２の外側指部を巻き入れて繰り出すように作動可能である調節機構部を更に備える、自転車ヘルメット。
【請求項１４】
前記可撓性ウェブは、前記ヘルメットの第１の側面に沿って前記第１の前部装着場所から概ね後方に延在する第１の外側指部と、前記ヘルメットの第２の側面に沿って前記第２の前部装着場所から概ね後方に延在する第２の外側指部と、前記可撓性ウェブ前部部分から前記第２の装着場所に概ね後方に延在する第１の内側指部と、前記第１の内側指部から離間され、かつ、前記可撓性ウェブ前部部分から前記第２の装着場所に側方に概ね後方に延在する第２の内側指部とを含む、請求項１０に記載の自転車ヘルメット。
【請求項１５】
前記少なくとも１つの指部は、前記通気隙間と連通した複数の指部通気開口を画定する、請求項９に記載の自転車ヘルメット。
【請求項１６】
前記第１の装着場所及び前記第２の装着場所は、前記内面から内方に延在し、かつ、前記エネルギー消散内層と一体に形成された突出部を含む、請求項９に記載の自転車ヘルメット。
【請求項１７】
前記自転車ヘルメットは、調節機構部を更に備え、前記調節機構部は、前記１対の外側指部を受け、かつ、前記ヘルメットの取り付けを調節するために前記１対の外側指部を巻き入れて繰り出すように作動可能である、請求項１に記載の自転車ヘルメット。
【請求項１８】
前記自転車ヘルメットは、調節機構部を更に備え、前記調節機構部は、前記可撓性ウェブの第２の部分を受け、かつ、前記ヘルメットの取り付けを調節するために前記可撓性ウェブの第２の部分を巻き入れて繰り出すように作動可能である、請求項９に記載の自転車ヘルメット。
【請求項１９】
前記少なくとも１つの指部は、遠位端を備える少なくとも１つの内側指部をさらに備え、前記少なくとも１つの内側指部の前記遠位端は、前記ヘルメットの冠部において後部装着場所に結合される、請求項１３に記載の自転車ヘルメット。
【請求項２０】
前記少なくとも１つの指部は、前記第２の装着場所内に挿入されるように動作可能な取付け突出部を備える、請求項１３に記載の自転車ヘルメット。
【手続補正２】
【補正対象書類名】明細書
【補正対象項目名】００１０
【補正方法】変更
【補正の内容】
【００１０】
本発明の他の特徴及び利点は、以下の図面に関連して取り上げる明細から明らかとなろう。
本願明細書は、例えば、以下の項目も提供する。
（項目１）
着用者の頭部を保護する自転車ヘルメットであって、外殻と、
内面を画定する、前記外殻に結合されたエネルギー消散内層と、
前記ヘルメットの実質的に前側部分にて内面から内方にオフセットした前部装着場所と、
前記ヘルメットの実質的に後側部分にて内面から内方にオフセットした後部装着場所と、
前記着用者の前記頭部で前記ヘルメットを支持する、前記着用者の前記頭部との直接係合に向けて構成された内部通気システムと、を備え、前記内部通気システム、前記前部装着場所、及び前記後部装着場所は、協働して、前記着用者の前記頭部と前記内面との間の隙間を画定する、自転車ヘルメット。
（項目２）
前記内部通気システムは、前記前部装着場所に結合された部分と、前記後部装着場所に結合された遠位端と、を有する指部を含み、前記前部装着場所と前記後部装着場所との間の指部全体は、前記内面からオフセットしている、項目１に記載の自転車ヘルメット。
（項目３）
前記指部は、前記隙間と連通した複数の指部通気開口を画定する、項目２に記載の自転車ヘルメット。
（項目４）
前記内部通気システムは、前記前部装着場所と前記後部装着場所との間に延在し、かつ、前記前部装着場所と前記後部装着場所により支持され、前記内部通気システムは、前記前部装着場所及び前記後部装着場所だけ前記内面からオフセットしている、項目１に記載の自転車ヘルメット。
（項目５）
前記内部通気システムは、前部部分と、前記前部部分から離れて延在する複数の指部と、を含み、前記複数の指部は、前記ヘルメットの側部分に概ね沿って延在する１対の外側指部と、前記ヘルメットの冠部に概ね沿って延在する少なくとも１つの内側指部と、を含む、項目１に記載の自転車ヘルメット。
（項目６）
前記前部部分及び前記複数の指部のそれぞれは、前記内層の内面から、前記内面と前記着用者の頭部との間の通気隙間を画定するためにオフセットしている、項目５に記載の自転車ヘルメット。
（項目７）
前記隙間は、前記外側指部の少なくとも１つと前記内面との間に画定された額隙間と、前記少なくとも１つの内側指部と前記内面との間に画定された内側隙間と、を含む、項目６に記載の自転車ヘルメット。
（項目８）
前記外側指部の１つは、前記前部装着場所に結合され、前記少なくとも１つの内側指部の遠位端は、前記後部装着場所に結合される、項目５に記載の自転車ヘルメット。
（項目９）
それぞれの外側指部は、遠位端を含み、前記ヘルメットは、前記外側指部の前記遠位端を受け、かつ、前記遠位端を巻き入れて繰り出すように作動可能である前記ヘルメットの取り付けを調節する調節機構部を更に含む、項目５に記載の自転車ヘルメット。
（項目１０）
前記前部装着場所及び前記後部装着場所は、前記内面から内方に延在し、かつ、前記エネルギー消散内層と一体に形成された突出部を含む、項目１に記載の自転車ヘルメット。
（項目１１）
外殻と、
内面を画定する、前記外殻に結合されたエネルギー消散内層と、
前記ヘルメットの実質的に第１の場所にて内面から内方にオフセットした第１の装着場所と、
前記第１の場所の概ね反対側の前記ヘルメットの実質的に第２の場所にて内面から内方にオフセットした第２の装着場所と、
前記第１の装着場所及び前記第２の装着場所に結合される可撓性ウェブと、を備え、前記可撓性ウェブは、前記第１の装着場所と前記第２の装着場所との間に延在する通気隙間を画定するために、前記第１の装着場所と前記第２の装着場所との間に延在し、かつ、前記内面から離間された少なくとも１つの指部を含む、自転車ヘルメット。
（項目１２）
前記ヘルメットは、ヘルメット前部部分を含み、前記第１の装着場所は、前部装着場所であり、かつ、前記ヘルメット前部部分の１つの側面上の第１の前部装着場所と、前記ヘルメット前部部分の第２の側面上の第２の前部装着場所とを含み、可撓性ウェブ前部部分は、前記第１の前部装着場所と前記第２の前部装着場所との間に延在する、項目１１に記載の自転車ヘルメット。
（項目１３）
前記少なくとも１つの指部は、前記可撓性ウェブ前部部分から延在する第１の端部と、前記第２の装着場所に結合された第２の端部とを含む、項目１２に記載の自転車ヘルメット。
（項目１４）
前記可撓性ウェブ前部部分は、前記内面からオフセットしており、かつ、前記可撓性ウェブ前部部分と、前記内面と、前記第１の前部装着場所及び前記第２の前部装着場所との間に延在する額隙間を画定する、項目１２に記載の自転車ヘルメット。
（項目１５）
前記可撓性ウェブは、前記ヘルメットの第１の側面に沿って前記第１の前部装着場所から概ね後方に延在する第１の外側指部と、前記ヘルメットの第２の側面に沿って前記第２の前部装着場所から概ね後方に延在する第２の外側指部とを含み、前記自転車ヘルメットは、前記第１の外側指部及び前記第２の外側指部を受け、かつ、前記ヘルメットの取り付けを調節するために前記第１の外側指部及び前記第２の外側指部を巻き入れて繰り出すように作動可能である調節機構部を更に備える、項目１２に記載の自転車ヘルメット。
（項目１６）
前記可撓性ウェブは、前記ヘルメットの第１の側面に沿って前記第１の前部装着場所から概ね後方に延在する第１の外側指部と、前記ヘルメットの第２の側面に沿って前記第２の前部装着場所から概ね後方に延在する第２の外側指部と、前記可撓性ウェブ前部部分から前記第２の装着場所に概ね後方に延在する第１の内側指部と、前記第１の内側指部から離間され、かつ、前記可撓性ウェブ前部部分から前記第２の装着場所に側方に概ね後方に延在する第２の内側指部とを含む、項目１２に記載の自転車ヘルメット。
（項目１７）
前記少なくとも１つの指部は、前記通気隙間と連通した複数の指部通気開口を画定する、項目１１に記載の自転車ヘルメット。
（項目１８）
前記第１の装着場所及び前記第２の装着場所は、前記内面から内方に延在し、かつ、前記エネルギー消散内層と一体に形成された突出部を含む、項目１１に記載の自転車ヘルメット。
（項目１９）
着用者の頭部を保護する自転車ヘルメットであって、外殻と、
前記外殻に結合され、かつ、前記外殻に沿って延在するエネルギー消散内層であって、前記エネルギー消散内層は、内面、前記ヘルメットの前側部分の第１の側面上の第１の前部装着場所、前記ヘルメットの前記前側部分の第２の側面上の第２の前部装着場所、及び、前記ヘルメットの実質的に後部部分での少なくとも１つの後部装着場所を画定し、前記第１の前部装着場所、前記第２の前部装着場所、及び前記少なくとも１つの後部装着場所は、それぞれ、前記内面から内方に延在し、かつ、前記エネルギー消散内層と一体に形成された突出部を含むエネルギー消散内層と、
前記第１の前部装着場所と、前記第２の前部装着場所と、前記少なくとも１つの後部装着場所とに結合され、かつ、前記第１の前部装着場所と、前記第２の前部装着場所と、前記少なくとも１つの後部装着場所との間に延在し、かつ、前記着用者の前記頭部との直接係合に向けて構成された、前記着用者の前記頭部で前記ヘルメットを支持する可撓性ウェブを備え、前記可撓性ウェブは、内面から内方にオフセットしており、かつ、通気隙間を画定し、前記可撓性ウェブは、
前記第１の前部装着場所と前記第２の前部装着場所との間に延在する可撓性ウェブ前部部分と、
前記ヘルメットの第１の側面に沿って前記第１の前部装着場所から概ね後方に延在する第１の外側指部と、
前記ヘルメットの第２の側面に沿って前記第２の前部装着場所から概ね後方に延在する第２の外側指部と、
前記可撓性ウェブ前部部分から前記少なくとも１つの第２の装着場所に前記ヘルメットの冠部に沿って概ね後方に延在する第１の内側指部と、
前記第１の内側指部から側方に離間され、かつ、前記可撓性ウェブ前部部分から前記第２の装着場所に前記ヘルメットの前記冠部に沿って概ね後方に延在する第２の内側指部と、を含む、自転車ヘルメット。
（項目２０）
前記可撓性ウェブ前部部分、前記第１の外側指部、前記第２の外側指部、前記第１の内側指部及びそれぞれの前記第２の内側指部は、前記通気隙間と連通した指部通気開口を画定する、項目１９に記載の自転車ヘルメット。